(57)【要約】【課題】光変調部の入射面および射出面に塵埃が付着することを抑制することが可能な光学装置およびプロジェクタを提供する。【解決手段】液晶ライトバルブ２３Ｂ，２３Ｇ，２３Ｒの入射面ＢＩ３，ＧＩ３，ＲＩ３がロッドインテグレータ２２Ｂ，２２Ｇ，２２Ｒの射出面ＢＯ２，ＧＯ２，ＲＯ２とそれぞれ密着し、液晶ライトバルブ２３Ｂ，２３Ｇ，２３Ｒの射出面ＢＯ３，ＧＯ３，ＲＯ３がクロスダイクロイックプリズム１００の入射面１００Ｂ，１００Ｇ，１００Ｒとそれぞれ密着している。【選択図】図１
2008209440.tif 000002
【特許請求の範囲】
【請求項１】
複数の光源から射出された光を、それぞれ照度分布を均一化して射出面から射出する複数のロッドインテグレータと、
前記複数のロッドインテグレータから射出された光をそれぞれ画像信号に応じて変調して射出面から射出する複数の光変調部と、
前記複数の光変調部から射出された光を合成し、画像光を形成する光合成部と、
を有し、
前記光変調部の前記ロッドインテグレータから射出された光が入射する入射面は、前記ロッドインテグレータの前記射出面と密着し、前記光変調部の前記射出面は、前記光合成部の前記光変調部から射出された光が入射する入射面と密着していることを特徴とする光学装置。
【請求項２】
請求項１に記載の光学装置であって、
前記複数の光源から射出された光の偏光方向を揃えて、射出面から前記複数のロッドインテグレータに射出する複数の偏光変換部を備え、前記偏光変換部の前記射出面は、前記ロッドインテグレータの前記入射面と密着していることを特徴とする光学装置。
【請求項３】
異なる色光をそれぞれ射出する複数の固体光源と、
前記複数の固体光源から射出された色光を、照度分布を均一化して射出面から射出する複数のロッドインテグレータと、
前記複数のロッドインテグレータから射出された色光を画像信号に応じて変調して射出面から射出する複数の光変調部と、
前記複数の光変調部から射出された色光を合成し、画像光を形成する光合成部と、
前記光合成部で形成された前記画像光を投写する投写部と、
を有し、
前記光変調部の前記ロッドインテグレータから射出された光が入射する入射面は、前記ロッドインテグレータの前記射出面と密着し、前記光変調部の前記射出面は、前記光合成部の前記光変調部から射出された光が入射する入射面と密着していることを特徴とするプロジェクタ。
【発明の詳細な説明】
【技術分野】
【０００１】
本発明は、ＬＥＤ（Light Emitting Diode）等の光源から射出された光で画像光を形成する光学装置、およびこの光学装置を備えたプロジェクタに関する。
【背景技術】
【０００２】
光源から射出された光を画像信号に応じて変調し、離れた位置に設置されたスクリーン等に向けて投写するプロジェクタにおいて、ＬＥＤなど、小型化に有利な固体光源を用いたプロジェクタが提案されている（特許文献１参照）。
【０００３】
特許文献１に記載のプロジェクタは、赤色（Ｒ）、緑色（Ｇ）、青色（Ｂ）の各色光をそれぞれ射出する３つの光源ユニットと、偏光変換装置と、ロッドインテグレータと、光変調部（液晶ライトバルブ）と、クロスダイクロイックプリズムと、投写レンズとを有して構成されている。
光源ユニットは、光源としてＬＥＤを用いており、偏光変換装置は、光源ユニットから射出された各色光をそれぞれ一方向の偏光に揃えて射出する。ロッドインテグレータは、偏光変換装置から射出された各色光を、それぞれ照度分布を均一化して射出面から射出する。液晶ライトバルブは、ロッドインテグレータから射出された各色光をそれぞれ、画像信号に応じて変調して射出面から射出する。クロスダイクロイックプリズムは、液晶ライトバルブから射出された各色光を合成し、画像光を形成する。投写レンズは、クロスダイクロイックプリズムで合成された画像光を投写する。
【０００４】
【特許文献１】特開２００６−３４９７１４号公報
【発明の開示】
【発明が解決しようとする課題】
【０００５】
しかしながら、特許文献１に記載のプロジェクタでは、ロッドインテグレータから射出された光が入射する液晶ライトバルブの入射面（第１偏光フィルタの外表面）は、ロッドインテグレータの射出面に密着しているものの、液晶ライトバルブの射出面（第２偏光フィルタの外表面）と、液晶ライトバルブから射出された光が入射するクロスダイクロイックプリズムの入射面との間には空隙が設けられている。このため、液晶ライトバルブの射出面に塵埃が付着する虞がある。液晶ライトバルブの射出面は、投写レンズの焦点位置に近い範囲内にあるため、この射出面に塵埃が付着すると、塵埃によって遮蔽された色光の部分がそのまま画像の一部となって投写され、画像光の品質が悪化する。
本発明は、上記課題に鑑みてなされたものであり、その目的は、光変調部の入射面および射出面に塵埃が付着することを抑制することが可能な光学装置およびプロジェクタを提供することにある。
【課題を解決するための手段】
【０００６】
本発明の光学装置は、複数の光源から射出された光を、それぞれ照度分布を均一化して射出面から射出する複数のロッドインテグレータと、前記複数のロッドインテグレータから射出された光をそれぞれ画像信号に応じて変調して射出面から射出する複数の光変調部と、前記複数の光変調部から射出された光を合成し、画像光を形成する光合成部と、を有し、前記光変調部の前記ロッドインテグレータから射出された光が入射する入射面は、前記ロッドインテグレータの前記射出面と密着し、前記光変調部の前記射出面は、前記光合成部の前記光変調部から射出された光が入射する入射面と密着していることを特徴とする。
【０００７】
この構成によれば、光変調部は、入射面がロッドインテグレータの射出面と密着し、射出面が光合成部の入射面と密着しているため、光変調部の入射面および射出面に塵埃が付着することを抑制することが可能となる。
【０００８】
この光学装置において、前記複数の光源から射出された光の偏光方向を揃えて、射出面から前記複数のロッドインテグレータに射出する複数の偏光変換部を備え、前記偏光変換部の前記射出面は、前記ロッドインテグレータの前記入射面と密着していることが望ましい。
【０００９】
この構成によれば、偏光変換部の射出面は、ロッドインテグレータの入射面と密着しているため、偏光変換部から射出される光を、ロッドインテグレータで効率よく利用することが可能となる。
【００１０】
本発明のプロジェクタは、異なる色光をそれぞれ射出する複数の固体光源と、前記複数の固体光源から射出された色光を、照度分布を均一化して射出面から射出する複数のロッドインテグレータと、前記複数のロッドインテグレータから射出された色光を画像信号に応じて変調して射出面から射出する複数の光変調部と、前記複数の光変調部から射出された色光を合成し、画像光を形成する光合成部と、前記光合成部で形成された前記画像光を投写する投写部と、を有し、前記光変調部の前記ロッドインテグレータから射出された光が入射する入射面は、前記ロッドインテグレータの前記射出面と密着し、前記光変調部の前記射出面は、前記光合成部の前記光変調部から射出された光が入射する入射面と密着していることを特徴とする。
【００１１】
この構成によれば、光変調部は、入射面がロッドインテグレータの射出面と密着し、射出面が光合成部の入射面と密着しているため、光変調部の入射面および射出面には、塵埃が付着することを抑制することが可能となり、それによって投写される画像光は、塵埃による品質劣化が抑制される。
【発明を実施するための最良の形態】
【００１２】
以下、本発明の実施形態に係る光学装置およびプロジェクタについて図面を参照して説明する。
図１は、本実施形態の光学装置およびプロジェクタの概略構成を説明する図である。
図１に示すように、プロジェクタ１は、光源ユニット１０Ｂ，１０Ｇ，１０Ｒと、光学装置２０と、液晶ライトバルブ駆動部３０と、投写レンズ４０とを有している。ここで、光学装置２０は、偏光変換部２１Ｂ，２１Ｇ，２１Ｒと、ロッドインテグレータ２２Ｂ，２２Ｇ，２２Ｒと、光変調部である液晶ライトバルブ２３Ｂ，２３Ｇ，２３Ｒと、光合成部であるクロスダイクロイックプリズム１００とを有している。
【００１３】
光源ユニット１０Ｂは、Ｂ光（青色光）を射出する固体光源としてのＬＥＤ１１０Ｂと、ＬＥＤ１１０Ｂを実装する回路基板１２０Ｂと、ＬＥＤ１１０Ｂから射出されるＢ光を平行光に揃えて射出するコリメータレンズ１３０Ｂとを有して構成される。
光源ユニット１０Ｇ、および光源ユニット１０Ｒは、光源ユニット１０Ｂと同様に、それぞれＬＥＤ１１０Ｇ，１１０Ｒと、回路基板１２０Ｇ，１２０Ｒと、コリメータレンズ１３０Ｇ，１３０Ｒとを備え、それぞれＧ光（緑色光）、Ｒ光（赤色光）を射出する。
【００１４】
偏光変換部２１Ｂ，２１Ｇ，２１Ｒは、それぞれ光源ユニット１０Ｂ，１０Ｇ，１０Ｒの射出側に配置されており、光源ユニット１０Ｂ，１０Ｇ，１０Ｒから射出されたそれぞれの色光の偏光方向を揃える。ロッドインテグレータ２２Ｂ，２２Ｇ，２２Ｒは、それぞれ偏光変換部２１Ｂ，２１Ｇ，２１Ｒの射出側に配置されており、偏光変換部２１Ｂ，２１Ｇ，２１Ｒから射出されたそれぞれの色光の照度分布を均一化する。
【００１５】
液晶ライトバルブ２３Ｂ，２３Ｇ，２３Ｒは、ロッドインテグレータ２２Ｂ，２２Ｇ，２２Ｒの射出側に配置されており、ロッドインテグレータ２２Ｂ，２２Ｇ，２２Ｒから射出されたそれぞれの色光を、液晶ライトバルブ駆動部３０からの画像信号に応じて変調する。クロスダイクロイックプリズム１００は、液晶ライトバルブ２３Ｂ，２３Ｇ，２３Ｒから射出された各色光を合成し、画像光を形成する。投写レンズ４０は、クロスダイクロイックプリズム１００で合成された画像光を投写する。
【００１６】
ここで、光源ユニット１０Ｂから射出されたＢ光がクロスダイクロイックプリズム１００に至るまでの光路について、詳細に説明する。
光源ユニット１０Ｂから射出されたＢ光は、偏光変換部２１Ｂに入射する。
図２は、偏光変換部２１Ｂの概略構成を説明する図である。
図２に示すように、偏光変換部２１Ｂは、直角三角形のプリズム２１１Ｂと平行四辺形のプリズム２１２Ｂとを、互いの斜面が対向するように貼り合わせることにより形成されている。また、偏光変換部２１Ｂは、両プリズム２１１Ｂ，２１２Ｂに挟まれた偏光分離膜２１３Ｂと、プリズム２１１Ｂのロッドインテグレータ２２Ｂ側の面に密着された光透過板２１４Ｂと、プリズム２１２Ｂの外側の斜面に形成された反射膜２１５Ｂと、プリズム２１２Ｂのロッドインテグレータ２２Ｂ側の面に密着された１／２波長板２１６Ｂとを備えている。
【００１７】
偏光分離膜２１３Ｂと反射膜２１５Ｂとは、蒸着によって形成された誘電体多層膜である。偏光分離膜２１３Ｂは、光源ユニット１０Ｂから射出されたランダム偏光であるＢ光のうち特定方向の直線偏光成分（本実施形態の場合Ｓ偏光）を透過させるとともに、これに直交する方向の直線偏光成分（本実施形態の場合Ｐ偏光）を反射させ、２つの直線偏光成分を効率よく分離する。また、反射膜２１５Ｂは、偏光分離膜２１３Ｂで反射されたＰ偏光を反射する。なお、反射膜２１５Ｂは、金属材料を蒸着した反射ミラーに置き換えることもできる。
【００１８】
１／２波長板２１６Ｂは、偏光分離膜２１３Ｂおよび反射膜２１５Ｂで反射されてプリズム２１２ＢからＢ光の光軸ＣＢ方向に射出されたＰ偏光を、これに直交するＳ偏光に変換する。変換されたＢ光は、射出面ＢＯ１１から射出される。一方、偏光分離膜２１３Ｂを透過したＢ光は、Ｓ偏光のまま光透過板２１４Ｂを透過し、射出面ＢＯ１２から射出される。
このように、偏光変換部２１Ｂは、光源ユニット１０Ｂから射出されるランダム偏光であるＢ光をＳ偏光に揃えることができるため、液晶ライトバルブ２３ＢにおけるＢ光の利用効率を向上させることができる。なお、射出面ＢＯ１１と射出面ＢＯ１２とは、同一平面内に位置し、これ以降、射出面ＢＯ１１と射出面ＢＯ１２とからなる面を偏光変換部２１Ｂの射出面ＢＯ１とする。
【００１９】
図１に戻って、ロッドインテグレータ２２Ｂは、光軸ＣＢに対して垂直な断面が矩形状をした透明部材からなり、偏光変換部２１ＢによってＳ偏光に揃えられたＢ光は、入射面ＢＩ２から入射する。入射面ＢＩ２から入射したＢ光は、ロッドインテグレータ２２Ｂの内面で反射を繰り返し、Ｓ偏光のまま照度が均一化されて射出面ＢＯ２から射出される。
【００２０】
ロッドインテグレータ２２Ｂの入射面ＢＩ２は、接着剤によって偏光変換部２１Ｂの射出面ＢＯ１に密着している。また入射面ＢＩ２は、射出面ＢＯ１と略同一形状、あるいは射出面ＢＯ１より大きな形状を有している。このため、偏光変換部２１Ｂから射出されるＢ光は、効率よくロッドインテグレータ２２Ｂに入射する。また、射出面ＢＯ２は、後述する液晶ライトバルブ２３Ｂの表示画素の領域を覆う大きさを有している。
【００２１】
液晶ライトバルブ２３Ｂは、ＴＮモードの液晶セル２３１Ｂと、その外面に配置された入射偏光板２３２Ｂと、射出偏光板２３３Ｂとを備えている。液晶セル２３１Ｂには、表示画像を形成する表示画素が形成されている。入射偏光板２３２Ｂは、Ｓ偏光のみを透過し、射出偏光板２３３Ｂは、これに直交するＰ偏光のみを透過する。
【００２２】
ロッドインテグレータ２２Ｂの射出面ＢＯ２から射出されたＢ光は、液晶ライトバルブ２３Ｂの入射面ＢＩ３、即ち入射偏光板２３２Ｂの外表面から入射して、入射偏光板２３２Ｂを透過する。入射偏光板２３２Ｂを透過したＢ光は、液晶セル２３１Ｂで、液晶ライトバルブ駆動部３０からの画像信号に応じて、偏光方向が画素単位で切り換わった後、射出偏光板２３３ＢでＰ偏光のみが透過し、Ｓ偏光は、吸収される。射出偏光板２３３Ｂを透過したＢ光は、液晶ライトバルブ２３Ｂの射出面ＢＯ３、即ち射出偏光板２３３Ｂの外表面からクロスダイクロイックプリズム１００に射出される。
【００２３】
液晶ライトバルブ２３Ｂの入射面ＢＩ３は、接着剤によってロッドインテグレータ２２Ｂの射出面ＢＯ２に密着している。このことによって、液晶ライトバルブ２３Ｂの入射面ＢＩ３は、空気に触れることが抑制されるため、液晶ライトバルブ２３Ｂの入射面ＢＩ３に塵埃が付着することが抑制される。また、ロッドインテグレータ２２Ｂの射出面ＢＯ２と液晶ライトバルブ２３Ｂの入射面ＢＩ３との間に隙間がないため、ロッドインテグレータ２２Ｂから射出されるＢ光を、液晶ライトバルブ２３Ｂで効率よく利用することが可能となる。
【００２４】
光源ユニット１０Ｇから射出されるＧ光、および光源ユニット１０Ｒから射出されるＲ光の光路には、光源ユニット１０Ｂから射出されるＢ光の場合と同様に、偏光変換部２１Ｇ，２１Ｒと、ロッドインテグレータ２２Ｇ，２２Ｒと、液晶ライトバルブ２３Ｇ，２３Ｒとがそれぞれ備えられ、Ｇ光、Ｒ光は、その光路を経て、クロスダイクロイックプリズム１００に射出される。そして、偏光変換部２１Ｇの射出面ＧＯ１とロッドインテグレータ２２Ｇの入射面ＧＩ２、および偏光変換部２１Ｒの射出面ＲＯ１とロッドインテグレータ２２Ｒの入射面ＲＩ２とは、それぞれ密着している。また、ロッドインテグレータ２２Ｇの射出面ＧＯ２と液晶ライトバルブ２３Ｇの入射面ＧＩ３、およびロッドインテグレータ２２Ｒの射出面ＲＯ２と液晶ライトバルブ２３Ｒの入射面ＲＩ３とは、それぞれ密着している。
【００２５】
クロスダイクロイックプリズム１００は、三角柱状の４つのプリズムを貼り合わせることにより、略正方形断面の角柱状に形成されたものであり、Ｘ字状の貼り合わせ面に沿って誘電体多層膜が設けられている。このクロスダイクロイックプリズム１００の投写レンズ４０と面する側面（射出面１００Ｌ）を除いた３つの側面（入射面１００Ｂ，１００Ｇ，１００Ｒ）には、それぞれ液晶ライトバルブ２３Ｂ，２３Ｇ，２３Ｒが配置され、それぞれＢ光、Ｇ光、Ｒ光が入射する。クロスダイクロイックプリズム１００は、３つの色光を合成して、画像光を形成する。
【００２６】
液晶ライトバルブ２３Ｂ，２３Ｇ，２３Ｒの射出面ＢＯ３，ＧＯ３，ＲＯ３とクロスダイクロイックプリズム１００の入射面１００Ｂ，１００Ｇ，１００Ｒとは、接着剤によってそれぞれ密着している。このことによって、液晶ライトバルブ２３Ｂ，２３Ｇ，２３Ｒの射出面ＢＯ３，ＧＯ３，ＲＯ３は、空気に触れることが抑制されるため、それぞれの面に塵埃が付着することが抑制される。
【００２７】
クロスダイクロイックプリズム１００の射出面１００Ｌから射出された画像光は、投写レンズ４０から外部に拡大投写される。
【００２８】
以上説明したように、本実施形態の光学装置２０およびプロジェクタ１によれば、以下の効果を得ることができる。
（１）本実施形態の光学装置２０およびプロジェクタ１によれば、液晶ライトバルブ２３Ｂ，２３Ｇ，２３Ｒの入射面ＢＩ３，ＧＩ３，ＲＩ３が、ロッドインテグレータ２２Ｂ，２２Ｇ，２２Ｒの射出面ＢＯ２，ＧＯ２，ＲＯ２とそれぞれ密着し、射出面ＢＯ３，ＧＯ３，ＲＯ３がクロスダイクロイックプリズム１００の入射面１００Ｂ，１００Ｇ，１００Ｒとそれぞれ密着している。このことによって、液晶ライトバルブ２３Ｂ，２３Ｇ，２３Ｒの入射面ＢＩ３，ＧＩ３，ＲＩ３および射出面ＢＯ３，ＧＯ３，ＲＯ３に塵埃が付着することを抑制することが可能となり、それによって、投写される画像光は、塵埃による品質劣化が抑制され、製品の長寿命化を図ることができる。なお、投写レンズ４０の焦点位置に近い範囲内に塵埃が付着しないように、液晶ライトバルブ２３Ｂ，２３Ｇ，２３Ｒの入射面側、および射出面側に透光性の防塵部材を配置する場合があるが、本実施形態ではその必要がないため、部品点数が減り、コストダウンが可能となる。さらに、ロッドインテグレータ２２Ｂ，２２Ｇ，２２Ｒの射出面ＢＯ２，ＧＯ２，ＲＯ２と液晶ライトバルブ２３Ｂ，２３Ｇ，２３Ｒの入射面ＢＩ３，ＧＩ３，ＲＩ３との間に隙間がないため、ロッドインテグレータ２２Ｂ，２２Ｇ，２２Ｒから射出されるそれぞれの色光を、液晶ライトバルブ２３Ｂ，２３Ｇ，２３Ｒで効率よく利用することが可能となる。
【００２９】
（２）本実施形態の光学装置２０およびプロジェクタ１によれば、偏光変換部２１Ｂ，２１Ｇ，２１Ｒの射出面ＢＯ１，ＧＯ１，ＲＯ１は、ロッドインテグレータ２２Ｂ，２２Ｇ，２２Ｒの入射面ＢＩ２，ＧＩ２，ＲＩ２とそれぞれ密着している。このことによって、偏光変換部２１Ｂ，２１Ｇ，２１Ｒから射出されるそれぞれの色光を、ロッドインテグレータ２２Ｂ，２２Ｇ，２２Ｒで効率よく利用することが可能となる。
【００３０】
（３）本実施形態のプロジェクタ１によれば、光源にＬＥＤを用いているため、ランプを光源とするプロジェクタに比べて、光源の発光に伴う温度上昇が抑制される。このため、液晶ライトバルブ２３Ｂ，２３Ｇ，２３Ｒの入射面および射出面に他の部材が密着した構成であっても、液晶ライトバルブ２３Ｂ，２３Ｇ，２３Ｒへのダメージを抑制することができる。
【００３１】
（変形例）
また、本発明の実施形態は、以下のように変更してもよい。
前記実施形態の偏光変換部２１Ｂは、ランダム光をＳ偏光成分に揃えて射出する態様を示したが、ランダム光をＰ偏光成分に揃えて射出する態様であってもよい。この場合は、液晶ライトバルブ２３Ｂの入射偏光板２３２Ｂおよび射出偏光板２３３Ｂの偏光方向は、前記実施形態と互いに直交する方向になる。偏光変換部２１Ｇ，２１Ｒおよび液晶ライトバルブ２３Ｇ，２３Ｒについても同様である。
【００３２】
また、ロッドインテグレータ２２Ｂ，２２Ｇ，２２Ｒおよびクロスダイクロイックプリズム１００を熱伝導性の高いサファイア、水晶等の材料で構成しても良い。この場合は液晶ライトバルブ２３Ｂ，２３Ｇ，２３Ｒ、入射偏光板２３２Ｒ，２３２Ｇ，２３２Ｂおよび射出偏光板２３３Ｒ，２３３Ｇ，２３３Ｂで発生した熱がロッドインテグレータおよびクロスダイクロイックプリズムに伝導することにより、液晶ライトバルブ２３Ｂ，２３Ｇ，２３Ｒ、入射偏光板２３２Ｒ，２３２Ｇ，２３２Ｂおよび射出偏光板２３３Ｒ，２３３Ｇ，２３３Ｂの温度上昇を抑制することができる。
【００３３】
前記実施形態のプロジェクタ１の光源は、ＬＥＤに限られず、例えば、半導体レーザーを用いても、同様の効果を得ることが可能である。
【００３４】
前記実施形態は、離れた位置に設置されたスクリーン等に向けて投写するフロント型のプロジェクタを示したが、透過型のスクリーンを備えて、その背面側から画像光を投写するリアプロジェクタであってもよい。
【００３５】
なお、本発明の密着とは、両者間に塵埃が進入可能な隙間がないことであり、前記実施形態で示した接着剤による密着のみに限定されるものではない。例えば、両者間に透光性部材を介した構成であってもよい。
【図面の簡単な説明】
【００３６】
【図１】本実施形態の光学装置およびプロジェクタの概略構成を説明する図。
【図２】偏光変換部の概略構成を説明する図。
【符号の説明】
【００３７】
１…プロジェクタ、１０Ｂ，１０Ｇ，１０Ｒ…光源ユニット、２０…光学装置、２１Ｂ，２１Ｇ，２１Ｒ…偏光変換部、２２Ｂ，２２Ｇ，２２Ｒ…ロッドインテグレータ、２３Ｂ，２３Ｇ，２３Ｒ…液晶ライトバルブ、３０…液晶ライトバルブ駆動部、４０…投写レンズ、１００…クロスダイクロイックプリズム、１００Ｂ，１００Ｇ，１００Ｒ…入射面、１００Ｌ…射出面、１１０Ｂ，１１０Ｇ，１１０Ｒ…ＬＥＤ、２３１Ｂ，２３１Ｇ，２３１Ｒ…液晶セル、２３２Ｂ，２３２Ｇ，２３２Ｒ…入射偏光板、２３３Ｂ，２３３Ｇ，２３３Ｒ…射出偏光板、ＢＯ１，ＧＯ１，ＲＯ１…射出面、ＢＩ２，ＧＩ２，ＲＩ２…入射面、ＢＯ２，ＧＯ２，ＲＯ２…射出面、ＢＩ３，ＧＩ３，ＲＩ３…入射面、ＢＯ３，Ｇ
Ｏ３，ＲＯ３…射出面。
【図１】
2008209440.tif 000003
【図２】
2008209440.tif 000004